(57)【要約】【課題】ハンドルが回動する使用勝手のよい電気掃除機を提供することを目的とする。【解決手段】電動送風機６を内蔵した掃除機本体１と、掃除機本体１の前部に配設されたハンドル１３とを備え、ハンドル１３は、掃除機本体１に対して上方回動位置と前方回動位置とに回動可能に形成し、ハンドル１３を上方回動位置に回動するように付勢するキックバネ２５を設けるものである。ハンドルは、掃除状態で、上方に回動した状態となるため、ハンドルを高い位置に維持することができ、把持し易くなり、掃除作業性を向上することができる。【選択図】図１
2014204773.tif 000002
【特許請求の範囲】
【請求項１】
電動送風機を内蔵した掃除機本体と、
前記掃除機本体の前部に配設されたハンドルとを備え、
前記ハンドルは、前記掃除機本体に対して上方回動位置と前方回動位置とに回動可能に形成し、
前記ハンドルを上方回動位置に回動するように付勢するハンドル上方付勢手段を設けたことを特徴とする電気掃除機。
【請求項２】
前記ハンドルの上方回動位置において上方への回動を規制する上方側回転規制手段を設けるとともに、前記ハンドルの前方側回動位置において前方側への回動を規制する前方側回動規制手段を設けたことを特徴とする請求項１記載の電気掃除機。
【請求項３】
前記上方側回転規制手段と前記前方側回転規制手段は、軸受部分の外周側に形成したストッパーと、前記ストッパーに当接する段差により構成したことを特徴とする請求項２記載の電気掃除機。
【発明の詳細な説明】
【技術分野】
【０００１】
本発明は電気掃除機に係わり、特に掃除機本体の前部にハンドルを備えた電気掃除機に関するものである。
【背景技術】
【０００２】
一般的な電気掃除機においては、掃除機本体の上面側にハンドルが備えられているが、掃除機本体は、使用しないときには背面側を下にして直立させた収納状態にするので、上面側に設けられたハンドルでは立てたときに持ちにくい問題がある。
【０００３】
この問題を解決するために、ハンドルを掃除機本体の前面に形成することにより、通常の掃除状態と直立させた収納状態のいずれの状態においてもハンドルを持つことができる構成とした電気掃除機が開発されているが、掃除状態と収納状態のいずれの状態においても容易にハンドルを把持できるようなハンドル形状にすることは困難であった。
【０００４】
この問題を解決するために、ハンドルを掃除機本体に回動自在に形成し、ハンドルを掃除機本体の上面側に回動させた掃除状態と、ハンドルを掃除機本体の前方側に回動させた収納状態と、ハンドルを掃除機本体の背面側に回動させたハンドルの格納状態と、に回動させる電気掃除機が提案された。
【先行技術文献】
【特許文献】
【０００５】
【特許文献１】特開２００６−１９８１５１号公報
【発明の概要】
【発明が解決しようとする課題】
【０００６】
しかしながら、ハンドルの回動半径が大きいため、掃除機本体の前輪および後輪を接地した掃除状態で、ハンドルを持って掃除機本体を移動しようとする場合、掃除機本体を床面から持ち上げるためには、掃除機本体が前輪を浮かせる状態から垂直状態まで回動しないと掃除機本体が床面から持ち上がらず、掃除機本体の持ち上げ距離が大きいため、使用勝手が悪い問題がある。
【０００７】
本発明は、前記従来の課題を解決するもので、ハンドルが回動する使用勝手のよい電気掃除機を提供することを目的とするものである。
【課題を解決するための手段】
【０００８】
前記従来の課題を解決するために、本発明の電気掃除機は、電動送風機を内蔵した掃除機本体と、前記掃除機本体の前部に配設されたハンドルとを備え、前記ハンドルは、前記掃除機本体に対して上方回動位置と前方回動位置とに回動可能に形成し、前記ハンドルを上方回動位置に回動するように付勢するハンドル上方付勢手段を設けるものである。
【発明の効果】
【０００９】
本発明の電気掃除機は、ハンドルは、掃除状態で、上方に回動した状態となるため、ハンドルを高い位置に維持することができ、把持し易くなり、掃除作業性を向上することができる。また、掃除機本体の上方側に位置するハンドルを前方側に回動することにより掃除機本体上方の空間を広くすることができ、作業性を向上でき、使用勝手を向上することができる。
【図面の簡単な説明】
【００１０】
【図１】本発明の実施の形態に係る掃除機本体の斜視図
【図２】本発明の実施の形態に係る掃除機本体の断面図
【図３】本発明の実施の形態に係る本体ケースの斜視図
【図４】本発明の実施の形態に係るハンドルの斜視図
【図５】本発明の実施の形態に係るハンドルを本体ケースに取り付けた状態の斜視図
【図６】本発明の実施の形態に係るハンドルを本体ケースに取り付けた状態の上面図
【図７】本発明の実施の形態に係るハンドルを本体ケースに取り付けた状態の正面図
【図８】図７におけるＡ−Ａ断面図
【図９】本発明の実施の形態に係る掃除機本体の分解斜視図
【図１０】本発明の実施の形態に係るハンドルの本体ケースへの取付部を示し、（ａ）ハンドルを前方に回動した状態を示す側面図、（ｂ）ハンドルを上方に回動した状態を示す側面図
【図１１】本発明の実施の形態に係る掃除機本体の斜視図
【図１２】本発明の実施の形態に係る掃除機本体の側面図
【発明を実施するための形態】
【００１１】
第１の発明は、電動送風機を内蔵した掃除機本体と、前記掃除機本体の前部に配設されたハンドルとを備え、前記ハンドルは、前記掃除機本体に対して上方回動位置と前方回動位置とに回動可能に形成し、前記ハンドルを上方回動位置に回動するように付勢するハンドル上方付勢手段を設けるものである。
【００１２】
ハンドルは、掃除状態で、上方に回動した状態となるため、ハンドルを高い位置に維持することができ、把持し易くなり、掃除作業性を向上することができると共に、掃除機本体の全長を短くすることができ、省スペースにすることができる。また、ハンドルが高い位置に維持されることにより、ハンドルとホースの差込口との間の空間を広くすることができ、ホースの着脱操作時にハンドルが邪魔になることがない。
【００１３】
ハンドルは、前方に回動することにより掃除機本体の上方空間を広くすることができるので、集塵蓋の操作や集塵袋の交換作業を容易に行うことができ、使用勝手を向上することができる。
【００１４】
第２の発明は、第１の発明において、前記ハンドルの上方回動位置において上方への回動を規制する上方側回転規制手段を設けるとともに、前記ハンドルの前方側回動位置において前方側への回動を規制する前方側回動規制手段を設けるものである。
【００１５】
前方側回転規制手段及び上方側回転規制手段を形成しているので、ハンドルの前方側と上方側への回動を確実に規制することができる。
【００１６】
第３の発明は、第２の発明において、前記上方側回転規制手段と前記前方側回転規制手段は、軸受部分の外周側に形成したストッパーと、前記ストッパーに当接する段差により構成するものである。
【００１７】
前方側回転規制手段及び上方側回転規制手段は、軸受部分からの距離を長く形成することができるの、十分な回転規制強度を確保することができる。
【００１８】
以下、本発明の実施の形態について図１〜図１１を参照して説明する。なお、この実施の形態によって本発明が限定されるものではない。
【００１９】
（実施の形態１）
図１は、掃除機本体１の斜視図を示し、掃除機本体１には、ホース及び延長管を介して床用吸込具（いずれも図示せず）が着脱自在に接続される。
【００２０】
掃除機本体１は、前方に集塵袋が着脱自在に装着される集塵室５及び後方に電動送風機６を内蔵する電動送風機室７を有する本体ケース２と、本体ケース２の側面に装着される本体カバー３と、集塵室５を開閉自在に閉塞する集塵蓋４とを備えている。
【００２１】
また、掃除機本体１の底面前方位置には、キャスター式の前車輪８が回動自在に装着されると共に、掃除機本体１の後方両側面には、後車輪９が回動自在に装着されており、後車輪９は本体カバー３に覆われている。
【００２２】
本体ケース２の前面部には、集塵室５の吸込口１０に連通して図示しないホースが接続される差込口１１を有するフロントカバー１２が装着されており、フロントカバー１２の上方位置に、ハンドル１３が回動自在に支持される。
【００２３】
ハンドル１３には、ハンドルカバー１４が装着され、使用者が把持する把持部１５が形成されており、ハンドル１３の本体ケース２への支持部はキャップ１６により覆われている。ハンドル１３は、図１に示すように、上方位置から前方側に向かって、矢印方向に回動可能になっている。ハンドル１３は、図２に示すように、上面側回動位置の状態で掃除機本体１の最も高い位置の高さよりも低くなるように形成している。
【００２４】
本体ケース２の前部には、ハンドル１３を支持する支持部として、図３に示すように、前部両側から側方に向かって突出形成した軸１７と、軸１７の下方位置にハンドル１３の前方向への回動を規制する前ストッパー１８と、軸１７の斜め上方位置にハンドル１３の上方向の回動を規制する上ストッパー１９が形成されている。軸１７の内側には、ハンドル１３を保持するためのネジ２９を取り付けるネジボス２０と、前記ネジボス２０の下方前側位置にキックバネ２５の端部を保持するリブ２１とが形成されている。
【００２５】
キックバネ２５はネジボス２０に挿入した状態で、一端をリブ２１に係止すると共に、他端をハンドル１３に形成した孔２６に係止しており、キックバネ２５の付勢力によりハンドル１３を上方に回動するように付勢している。キックバネ２５によりハンドル上方付勢手段を構成している。ハンドル上方付勢手段としては、キックバネ以外にも、ぜんまいバネなど、周知の付勢手段を用いることができる。
【００２６】
ハンドル１３には、図４に示すように、本体ケース２の軸１７に回動自在に軸支される軸受２２が形成されている。軸受２２の外周には、ハンドル１３の前方向への回動時に前ストッパー１８と当接してハンドル１３の回動を規制する前段差２３と、ハンドル１３の上方向への回動時に上ストッパー１９と当接してハンドル１３の回動を規制する上段差２４が形成されている。
【００２７】
本体ケース２の前ストッパー１８とハンドル１３の前段差２３によりハンドル１３の前方側回転規制手段、本体ケース２の上ストッパー１９とハンドル１３の上段差２４によりハンドル１３の上方側回転規制手段を構成している。
【００２８】
以上の構成において、本体ケース２へのハンドル１３の取付方法を図面に基づいて説明する。
【００２９】
まず、ハンドル１３の両側を拡張して軸受２２を本体ケース２の軸１７に嵌めることにより、ハンドル１３を本体ケース２に取り付ける。ハンドル１３及び軸１７は、図６に示すように、ハンドル１３を本体ケース２に装着した状態で、ハンドル１３及び軸１７が掃
除機本体１の横幅より狭く形成することにより、掃除機本体１の幅寸法が大きくなるのを抑制している。
【００３０】
次に、キックバネ２５をネジボス２０に挿入して、キックバネ２５の一端をリブ２１に係止し、他端をハンドル１３に形成した孔２６に係止する。そして、本体ケース２側面に本体カバー３を装着し、ネジ２９をネジボス２０に螺合することによりハンドル１３を本体ケース２と本体カバー３との間に挟持する。ハンドル１３に形成したボス２７にネジ２８を螺合してキャップ１６を固定する。
【００３１】
以上の構成において、ハンドル１３は、キックバネ２５の付勢力により、図１０（ｂ）に示すように、上方側に回動した状態となる。ハンドル１３の通常状態が上方に回動した状態となるため、掃除機本体１の全長を短くすることができ、省スペースにすることができると共に、ホースの着脱操作時にハンドル１３が邪魔になることがない。
【００３２】
また、ハンドル１３は、前車輪８及び後車輪９が接地した掃除状態で、上方に回動した状態となるため、ハンドル１３の把持部１５を高い位置に維持することができ、使用者が把持部１５を把持する際に把持し易くなり、掃除作業性を向上することができる。
【００３３】
集塵蓋４を開放する際などには、図１０（ａ）に示すように、ハンドル１３を前方に回動することにより集塵蓋４の操作空間や集塵袋の交換作業空間を広くすることができ、使用勝手を向上することができる。
【００３４】
掃除機本体１を持ち運ぶ際には、上方回動位置に回動したハンドル１３の把持部１５を把持して掃除機本体１を持ち上げると、掃除機本体１が前方側から持ち上がるに従ってハンドル１３が前方回動位置まで回動する。ハンドル１３の前方回動位置では、前方側回動規制手段がハンドル１３の前方側への回動を規制する。
【００３５】
掃除機本体１は、背面側を接地させた状態で床用吸込具及び延長管を接続したホースを接続して収納する。この収納状態では、ハンドル１３は、キックバネ２５の付勢力により掃除機本体１の上面側回動位置に回動しているので、掃除機本体１の高さを低くすることができ、従来例に比較して収納状態での安定性を向上することができると共に、ハンドル１３への人や物の接触を抑制することができる。また、ハンドル１３は、上面側回動位置の状態で掃除機本体１の最も高い位置の高さよりも低くなるように形成しているので、収納スペースが増大することもない。
【００３６】
本体ケース２には、本体ケース２の軸１７の外周側に前ストッパー１８と上ストッパー１９を形成すると共に、ハンドル１３には、軸受２２の外周側に、前段差２３と上段差２４を形成し、本体ケース２の前ストッパー１８とハンドル１３の前段差２３によりハンドル１３の前方側回転規制手段、本体ケース２の上ストッパー１９とハンドル１３の上段差２４によりハンドル１３の上方側回転規制手段を構成している。
【００３７】
前方側回転規制手段及び上方側回転規制手段を形成しているので、ハンドル１３の前方側と上方側への回動を確実に規制することができる。前方側回転規制手段及び上方側回転規制手段は、軸１７からの距離を長く形成することができ、十分な強度を確保することができる。
【００３８】
ネジ２９をネジボス２０に螺合することによりハンドル１３を本体ケース２と本体カバー３との間に挟持する構成としているので、ネジ２９には、ハンドル１３を本体ケース２に固定する機能と、本体カバー３を本体ケース２に固定する機能とを兼ね備えることができ、ネジの削減を図ることができる。
【００３９】
なお、上記実施の形態では、本体ケース２の前部両側に突出形成した軸１７に、ハンドル１３に形成した軸受２２を枢支する構成としているが、本体ケース２の前部両側に軸受を形成すると共に、ハンドルに軸を形成し、本体ケースの軸受にハンドルの軸を枢支する構成としてもよい。
【００４０】
また、上記実施の形態の掃除機本体１は、集塵室５に集塵袋を装着する所謂紙パック式にて説明したが、所謂サイクロン式に採用してもよい。
【産業上の利用可能性】
【００４１】
以上のように、本発明の電気掃除機は、ハンドルが掃除機本体上方側に回動するように付勢されているため、小型化が可能となり、掃除機本体の前方にハンドルを有する家庭用、業務用の電気掃除機に利用することができる。
【符号の説明】
【００４２】
１  掃除機本体
２  本体ケース
３  本体カバー
４  集塵蓋
５  集塵室
６  電動送風機
７  電動送風機室
８  前車輪
９  後車輪
１０  吸込口
１１  差込口
１２  フロントカバー
１３  ハンドル
１４  ハンドルカバー
１５  把持部
１６  キャップ
１７  軸
１８  前ストッパー
１９  上ストッパー
２０  ネジボス
２１  リブ
２２  軸受
２３  前段差
２４  上段差
２５  キックバネ
２６  孔
２７  ボス
２８  ネジ
２９  ネジ
【図１】
2014204773.tif 000003
【図２】
2014204773.tif 000004
【図３】
2014204773.tif 000005
【図４】
2014204773.tif 000006
【図５】
2014204773.tif 000007
【図６】
2014204773.tif 000008
【図７】
2014204773.tif 000009
【図８】
2014204773.tif 000010
【図９】
2014204773.tif 000011
【図１０】
2014204773.tif 000012
【図１１】
2014204773.tif 000013
【図１２】
2014204773.tif 000014